(57)【要約】      （修正有）【課題】鉄板等のコイル状物の内周面側を被う包装用シートとして使用する場合、鉄板等のコイル状物の内周面に好適に圧接させて沿わせることができ、また線材や鉄板のコイル状物の外周面側を被う包装用シートとして使用する場合、線材や鉄板のコイル状物の端部内周面への折り返し作業を容易に行うことができる包装用シートを提供する。【解決手段】フラットヤーンからなる経糸と、フラットヤーンからなる緯糸及びモノフィラメントからなる緯糸とで織成された織成地からなり、しかもモノフィラメントからなる緯糸のデシテックス（ｄｔｅＸ）数は１５００〜３５００ｄｔｅＸであり、且つモノフィラメントからなる緯糸のデシテックス（ｄｔｅＸ）数はフラットヤーンからなる経糸のデシテックス（ｄｔｅＸ）数の３〜９倍とする。【選択図】図１
0003165091.tif 000002
【実用新案登録請求の範囲】
【請求項１】
フラットヤーンからなる経糸（４）と、フラットヤーンからなる緯糸（５）及びモノフィラメントからなる緯糸（６）とで織成された織成地（２）からなり、しかもモノフィラメントからなる緯糸（６）のデシテックス（ｄｔｅＸ）数は１５００〜３５００ｄｔｅＸであり、且つモノフィラメントからなる緯糸（６）のデシテックス（ｄｔｅＸ）数はフラットヤーンからなる経糸（４）のデシテックス（ｄｔｅＸ）数の３〜９倍であることを特徴とするコイル状物の包装用シート。
【請求項２】
モノフィラメントからなる緯糸（６）のデシテックス（ｄｔｅＸ）数が２０００〜３０００ｄｔｅＸである請求項１記載のコイル状物の包装用シート。
【請求項３】
モノフィラメントからなる緯糸（６）のデシテックス（ｄｔｅＸ）数がフラットヤーンからなる経糸（４）のデシテックス（ｄｔｅＸ）数の４〜７倍である請求項１又は２記載のコイル状物の包装用シート。
【請求項４】
フラットヤーンからなる緯糸（５）とモノフィラメントからなる緯糸（６）とが交互に配置されている請求項１乃至３のいずれかに記載のコイル状物の包装用シート。
【請求項５】
織成地（２）に合成樹脂製フィルム（３）が貼着されてなる請求項１乃至４のいずれかに記載のコイル状物の包装用シート。
【考案の詳細な説明】
【技術分野】
【０００１】
本考案はコイル状物の包装用シート、さらに詳しくは、金属製の線材や鉄板等がコイル状に巻回された鋼製品等のコイル状物を包装する際、主として鉄板等のコイル状物の内周面を被う内周面用として使用され、或いは線材や鉄板等のコイル状物の外周面を被うとともに該コイル状物の両端部を被うように折り曲げて外周面用として使用される包装用シートに関する。
【背景技術】
【０００２】
従来、この種の金属製の線材や鉄板等のコイル状物の包装用シートとしては、フラットヤーンからなる経糸と、フラットヤーンからなる緯糸とで織成された織成地に、合成樹脂製フィルムを貼着したようなものが用いられている。このような包装用シートで線材のコイル状物を包装する場合には、その線材のコイル状物の外周面を被うとともに該線材のコイル状物の両端部を被うように折り曲げて使用される。このように線材のコイル状物の両端部を被うように包装用シートを折り曲げることによって、該線材のコイル状物の内周面側も包装用シートによって覆われることとなる。
【０００３】
また、鉄板のコイル状物の場合も、上記のような構成からなる包装用シートで線材のコイル状物の場合と同様に外周面を被うとともに両端部を被うように折り曲げて使用されるが、一般には鉄板のコイル状物は線材のコイル状物に比べて幅が広いため、鉄板のコイル状物の両端部を被うように包装用シートを折り曲げた際に、その折り曲げられた包装用シートによって鉄板のコイル状物の内周面側の全体を被うことはできない。
【０００４】
従って、鉄板のコイル状物の場合には、上記のように外周面を被うとともに両端部を被うように折り曲げて使用される包装用シートとは別に、内周面を被うための包装用シートも用いられている。すなわち、上記のようなフラットヤーンからなる経糸と、フラットヤーンからなる緯糸とで織成された織成地に、合成樹脂製フィルムを貼着したような包装用シートを筒状に丸めて鉄板のコイル状物の中央の孔部分に挿入し、丸められた包装用シートを復元させながら、該包装用シートを鉄板のコイル状物の内周面に圧接させるように鉄板のコイル状物の内周面を被っている。
【０００５】
しかしながら、この種コイル状物を包装する従来の包装用シートは、上記のようにフラットヤーンからなる経糸と緯糸とで織成された織成地に、合成樹脂製フィルムを貼着したにすぎないものであるので包装用シートが柔軟で腰がなく、鉄板のコイル状物の内周面に圧接させるだけの復元力を生じさせることができず、鉄板のコイル状物の内周面に好適に沿わせることができない。従って、鉄板のコイル状物の内周面と包装用シートとの間にどうしても隙間が生じ、或いは丸めた包装用シートが鉄板のコイル状物の内周面から離脱するおそれがあった。この結果、鉄板のコイル状物の内周面におけるさびの発生等を十分に防止することができないおそれがあった。
【０００６】
一方、線材のコイルや鉄板のコイル状物の外周面を被うように上記包装用シートを使用する場合には、上述のように線材のコイル状物や鉄板のコイル状物の両端部をも被うように包装用シートが折り曲げられるが、上記従来の包装用シートは柔軟で腰がないので、コイル状物の端部内周面への折り返し作業を容易に行うことができない。すなわち、このような端部内周面への折り返し作業は、専用の装置を用いて機械的に行われるが、包装用シートが柔軟で腰がないために、端部内周面への折り返し部分が保形性を維持することができず、機械等による折り返し作業を容易に行うことができないこととなっていたのである。
【考案の概要】
【考案が解決しようとする課題】
【０００７】
本考案は、このような問題点を解決するためになされたもので、鉄板等のコイル状物の内周面側を被う包装用シートとして使用する場合、鉄板等のコイル状物の内周面に好適に圧接させて沿わせることができ、また線材や鉄板のコイル状物の外周面側を被う包装用シートとして使用する場合、線材や鉄板のコイル状物の端部内周面への折り返し作業を容易に行うことができる包装用シートを提供することを課題とする。
【課題を解決するための手段】
【０００８】
本考案は、このような課題を解決するためになされたもので、フラットヤーンからなる経糸と、フラットヤーンからなる緯糸及びモノフィラメントからなる緯糸とで織成された織成地からなり、しかもモノフィラメントからなる緯糸のデシテックス（ｄｔｅＸ）数は１５００〜３５００ｄｔｅＸであり、且つモノフィラメントからなる緯糸のデシテックス（ｄｔｅＸ）数はフラットヤーンからなる経糸のデシテックス（ｄｔｅＸ）数の３〜９倍であることを特徴とするコイル状物の包装用シートを提供するものである。かかる構成とすることにより、モノフィラメントからなる緯糸に腰を生じさせることができるとともに該モノフィラメントからなる緯糸の強度が良好となり、ひいては包装用シートの全体に腰を生じさせることができ、また包装用シートの全体の強度も良好となる。
【０００９】
上記のようにモノフィラメントからなる緯糸に腰を生じさせ、その強度を良好とする観点からは、モノフィラメントからなる緯糸のデシテックス（ｄｔｅＸ）数は、２０００〜３０００ｄｔｅＸであることがより好ましい。また、モノフィラメントからなる緯糸のデシテックス（ｄｔｅＸ）数は、フラットヤーンからなる経糸のデシテックス（ｄｔｅＸ）数の４〜７倍であることがより好ましい。
【００１０】
また、緯糸として上記モノフィラメントからなる緯糸の他、フラットヤーンからなる緯糸が用いられているので、経糸と緯糸とを織成するときに、フラットヤーンからなる経糸に対してモノフィラメントからなる緯糸が斜めに偏心するおそれがなく、経糸と緯糸とは縦横にほぼ直交した状態となるように、好適に織成されることとなる。
【００１１】
このようなモノフィラメントからなる緯糸の不用意な偏心を防止する観点からは、フラットヤーンからなる緯糸とモノフィラメントからなる緯糸とは交互に配置されていることが望ましい。さらに、織成地には、たとえば合成樹脂製フィルムを貼着することができる。
【考案の効果】
【００１２】
本考案の包装用シートは、上述のように、フラットヤーンからなる経糸と、フラットヤーンからなる緯糸及びモノフィラメントからなる緯糸とで織成された織成地からなり、しかもモノフィラメントからなる緯糸のデシテックス（ｄｔｅＸ）数は１５００〜３５００ｄｔｅＸであり、且つモノフィラメントからなる緯糸のデシテックス（ｄｔｅＸ）数はフラットヤーンからなる経糸のデシテックス（ｄｔｅＸ）数の３〜９倍であるため、このような構成からなる包装用シートをたとえば鉄板のコイル状物の内周面側を被うために用いる場合には、モノフィラメントが円周方向に位置するように包装用シートを丸めて鉄板のコイル状物の中央の孔部分に挿入すると、包装用シートを丸めた状態で鉄板のコイル状物の内周面に圧接させる復元力を生じ、包装用シートをコイル状物の内周面に好適に沿わせることができる。
【００１３】
従って、鉄板のコイル状物の内周面と包装用シートとの間に隙間が生じることもなく、また丸めた包装用シートが鉄板のコイル状物の内周面から離脱するおそれもなく、その結果、鉄板のコイル状物の内周面におけるさびの発生等を十分に防止することができるという効果がある。
【００１４】
また、線材や鉄板のコイル状物の外周面側を被うために用いる場合には、モノフィラメントが長手方向に位置するように包装用シートを線材や鉄板のコイル状物の外周面に巻き、その包装シートの端部をコイル状物の内周面側に折り返すと、その折り返し方向は、モノフィラメントが位置する方向と交差する方向であるので、強度のあるモノフィラメントが折れることで、包装用シートの端部をコイル状物の内周面側に折り易くなり、専用の装置を用いて包装用シートの端部を機械的に折り返す作業が行い易くなるという効果がある。
【図面の簡単な説明】
【００１５】
【図１】一実施形態としての包装用シートの概略平面図。
【図２】包装用シートの織成地の部分を拡大して示す概略平面図。
【図３】図２のＡ−Ａ線拡大断面図。
【図４】図２のＢ−Ｂ線拡大断面図。
【図５】織成地の表裏両面に合成樹脂製フィルムを貼着した包装用シートの要部拡大断面図。
【図６】被包装物としての一例の鉄板のコイル状物の概略断面図。
【図７】鉄板のコイル状物の外周面を包装用シートで被う状態を示す概略断面図。
【図８】鉄板のコイル状物の外周面及び内周面を包装用シートで被う状態を示す概略断面図。
【図９】被包装物としての他の例の線材のコイル状物の概略断面図。
【図１０】線材のコイル状物の外周面及び内周面を包装用シートで被う状態を示す概略断面図。
【考案を実施するための形態】
【００１６】
以下、本考案の実施形態について説明する。
本考案の包装用シートは、上述のように、フラットヤーンからなる経糸と、フラットヤーンからなる緯糸及びモノフィラメントからなる緯糸とで織成された織成地からなり、しかもモノフィラメントからなる緯糸のデシテックス（ｄｔｅＸ）数は１５００〜３５００ｄｔｅＸであり、且つモノフィラメントからなる緯糸のデシテックス（ｄｔｅＸ）数はフラットヤーンからなる経糸のデシテックス（ｄｔｅＸ）数の３〜９倍としたものである。
【００１７】
経糸及び緯糸を構成するフラットヤーンの材質は特に限定されるものではないが、たとえばポリプロピレンやポリエチレン等を用いることができる。とりわけポリプロピレンを用いることが望ましい。また、緯糸を構成するモノフィラメントの材質も限定されるものではないが、たとえばポリプロピレンやポリエチレン等を用いることができる。とりわけポリプロピレンを用いることが望ましい。
【００１８】
モノフィラメントからなる緯糸のデシテックス（ｄｔｅＸ）数は１５００〜３５００ｄｔｅＸとされる。デシテックス（ｄｔｅＸ）数が１５００未満であると、たとえば上記のように鉄板のコイル状物の内周面側の保護のために用いるべく包装用シートを丸めた状態で鉄板のコイル状物の中央の孔部分に挿入した場合に、鉄板のコイル状物の内周面に圧接させる復元力を好適に生じさせることができず、その結果、包装用シートをコイル状物の内周面に好適に沿わせることができないからである。
【００１９】
また、たとえば上記のように線材や鉄板のコイル状物の外周面側を被うために用いる場合には、デシテックス（ｄｔｅＸ）数が１５００未満であると、包装用シートの腰が十分でなく、上述のように線材や鉄板のコイル状物の両端部を被うように機械で包装用シートを折り曲げる際に、コイル状物の端部内周面への折り返し部分が保形性を維持することができず、そのコイル状物の端部内周面への折り返し作業を容易に行うことができないおそれがある。
【００２０】
一方、デシテックス（ｄｔｅＸ）数が３５００ｄｔｅＸを超えると、包装用シートの腰が強くなりすぎるために、包装用シートの端部をコイル状物の内周面側に折りにくくなるおそれがある。
【００２１】
この観点からは、モノフィラメントからなる緯糸のデシテックス（ｄｔｅＸ）数は、２０００〜３０００ｄｔｅＸであることがより好ましい。
【００２２】
また、モノフィラメントからなる緯糸のデシテックス（ｄｔｅＸ）数はフラットヤーンからなる経糸のデシテックス（ｄｔｅＸ）数の３〜９倍とされる。モノフィラメントからなる緯糸のデシテックス（ｄｔｅＸ）数がフラットヤーンからなる経糸のデシテックス（ｄｔｅＸ）数の３倍未満であると、たとえば鉄板のコイル状物の内周面側の保護のために用いるべく包装用シートを丸めた状態で鉄板のコイル状物の中央の孔部分に挿入した場合に、鉄板のコイル状物の内周面に圧接させる復元力を好適に生じさせることができず、その結果、包装用シートをコイル状物の内周面に好適に沿わせることができないからである。
【００２３】
また、たとえば線材や鉄板のコイル状物の外周面側の保護のために用いる場合には、モノフィラメントからなる緯糸のデシテックス（ｄｔｅＸ）数がフラットヤーンからなる経糸のデシテックス（ｄｔｅＸ）数の３倍未満であると、包装用シートの腰が十分でなく、線材や鉄板のコイル状物の両端部を被うように機械で包装用シートを折り曲げる際に、コイル状物の端部内周面への折り返し部分が保形性を維持することができず、そのコイル状物の端部内周面への折り返し作業を容易に行うことができないおそれがある。
【００２４】
一方、モノフィラメントからなる緯糸のデシテックス（ｄｔｅＸ）数がフラットヤーンからなる経糸のデシテックス（ｄｔｅＸ）数の９倍を超えると、包装用シートの腰が強くなりすぎるために、包装用シートの端部をコイルの内周面側に折りにくくなるおそれがある。
【００２５】
この観点からは、モノフィラメントからなる緯糸のデシテックス（ｄｔｅＸ）数は、フラットヤーンからなる経糸のデシテックス（ｄｔｅＸ）数の４〜７倍であることがより好ましい。
【００２６】
さらに、上記のようなモノフィラメントからなる緯糸とフラットヤーンからなる緯糸は、交互に配置した状態でフラットヤーンからなる経糸と織成することができる。さらに、本考案の包装用シートは、上述のように織成された織成地に、合成樹脂製フィルムを貼着して構成することができる。この場合、該合成樹脂製フィルムは、織成地の表裏両面に貼着することができ、また織成地の表裏両面のうちの片面のみに貼着することもできる。
【００２７】
以下、本考案のより具体的な実施形態について、図面に従って説明する。
【００２８】
（実施形態１）
本実施形態の包装用シート１は、図５に示すように織成地２の表裏両面に合成樹脂製フィルム３、３が貼着されて構成されたもので、図１に示すように全体が平面略長方形状に形成されている。
【００２９】
織成地２は、図２乃至図４に示すように、フラットヤーンからなる経糸４と、フラットヤーンからなる緯糸５及びモノフィラメントからなる緯糸６とで織成されている。フラットヤーンからなる緯糸５とモノフィラメントからなる緯糸６は、交互に配置されている。
【００３０】
経糸４及び緯糸５を構成するフラットヤーン、並びに緯糸６を構成するモノフィラメントは、すべてポリプロピレン製のものである。本実施形態においては、フラットヤーンからなる経糸４のデシテックス（ｄｔｅＸ）数は４４０ｄｔｅＸ、フラットヤーンからなる緯糸５のデシテックス（ｄｔｅＸ）数は１０６０ｄｔｅＸ、モノフィラメントからなる緯糸６のデシテックス（ｄｔｅＸ）数は２５００ｄｔｅＸである。合成樹脂製フィルム３、３もポリプロピレン製のものであり、ラミネートによって織成地２の表裏両面に貼着されている。
【００３１】
このような構成からなる包装用シート１は、たとえば図７に示すような鉄板のコイル状物７の包装用として使用される。より具体的には、包装用シート１によって図７に示すように鉄板のコイル状物７の外周面７ａを被うとともに、包装用シート１の端部１ａ、１ａを前記鉄板のコイル状物７の端面７ｂ、７ｂ側に折り曲げ、さらに鉄板のコイル状物７の内周面７ｃ、７ｃ側に折り曲げる。この際、モノフィラメントからなる緯糸６が長手方向に位置するように包装用シート１を鉄板のコイル状物７の外周面７ａに巻く。
【００３２】
そして、包装用シート１の端部１ａ、１ａを鉄板のコイル状物７の端面７ｂ、７ｂから内周面７ｃ、７ｃ側に折り曲げたとき、その包装用シート１の折り曲げ方向は、２５００ｄｔｅＸというデシテックス（ｄｔｅＸ）数が非常に大きく強度のあるモノフィラメントからなる緯糸６が位置する方向と交差する方向であるので、強度のあるモノフィラメントからなる緯糸６が折れることで、包装用シート１の端部１ａ、１ａを鉄板のコイル状物７の内周面７ｃ、７ｃ側に折り易くなる。
【００３３】
一方、鉄板のコイル状物７は、幅のある鉄板をコイル状に巻回したものであるため、鉄板のコイル状物７の円周方向と交差する方向の長さはある程度長いものであり、上記のように包装用シート１の端部１ａ、１ａを鉄板のコイル状物７の内周面７ｃ、７ｃ側に折り曲げても、鉄板のコイル状物７の内周面７ｃを１枚の包装用シート１で被うことができない。
【００３４】
そこで、鉄板のコイル状物７の外周面７ａ等を被うための上記包装用シート１とは別に、鉄板のコイル状物７の内周面７ｃを被うための包装用シート１が必要となる。すなわち、上記のように鉄板のコイル状物７の外周面７ａ、両端面７ｂ、７ｂ、内周面７ｃを１枚の包装用シート１で被った後、図８に示すように別の包装用シート１を筒状に丸めた状態で鉄板のコイル状物７の中央の孔８内に挿入する。この場合、モノフィラメントからなる緯糸６が円周方向に位置するように包装用シート１を巻いて鉄板のコイル状物７の孔８内に挿入する。このとき、包装用シート１を丸めた状態で鉄板のコイル状物７の内周面７ｃに圧接させる復元力を生じ、包装用シート１をコイル状物の内周面に好適に沿わせることができる。
【００３５】
このように、本実施形態では、モノフィラメントからなる緯糸６が長手方向に位置するように一の包装用シート１によって鉄板のコイル状物７の外周面７ａを被い、該包装用シート１の端部１ａ、１ａを鉄板のコイル状物７の両端面７ｂ、７ｂ及び内周面７ｃ側に折り曲げるときには、強度のあるモノフィラメントからなる緯糸６が折れることで、包装用シート１の端部１ａ、１ａの折り曲げ作業を容易に行うことができ、また、モノフィラメントからなる緯糸６が円周方向に位置するように他の包装用シート１を丸めた状態で鉄板のコイル状物７の孔８内に挿入することで、包装用シート１をコイル状物の内周面に好適に沿わせることができるので、一の包装用シート１及び他の包装用シート１によって、鉄板のコイル状物７の全体を好適に保護することができるのである。
【００３６】
（実施形態２）
本実施形態では、上記のような鉄板のコイル状物７に代えて、図９に示すような線材のコイル状物８を包装用シート１で包装する場合について説明する。線材のコイル状物８は、同図に示すように筒状に形成されたものであるが、円周方向と交差する方向の長さは実施形態１の鉄板のコイル状物７に比べて短い。従って、図１０に示すように包装用シート１で線材のコイル状物８の外周面８ａを被い、包装用シート１の端部１ａを線材のコイル状物８の端面８ｂ、８ｂから内周面８ｃ側に折り曲げたとき、線材のコイル状物８の内周面８ｃの全体を被うことができる。
【００３７】
このため、上記実施形態１の鉄板のコイル状物７の場合のように外周面を被うための包装用シート１の他に内周面を被うための包装用シート１を別に準備する必要がなく、１枚の包装用シート１によって線材のコイル状物８の外周面８ａのみならず、端面８ｂ、８ｂや内周面８ｃも被うことができる。
【００３８】
包装用シート１の構成は上記実施形態１と同じであり、デシテックス（ｄｔｅＸ）数が４４０ｄｔｅＸのフラットヤーンからなる経糸４と、デシテックス（ｄｔｅＸ）数が１０６０ｄｔｅＸのフラットヤーンからなる緯糸５、及びデシテックス（ｄｔｅＸ）数が２５００ｄｔｅＸのモノフィラメントからなる緯糸６とで織成された織成地２の表裏両面に合成樹脂製フィルム３、３が貼着されて包装用シート１が構成されている。
【００３９】
経糸４及び緯糸５を構成するフラットヤーン、並びに緯糸６を構成するモノフィラメントがポリプロピレン製のものである点、合成樹脂製フィルム３、３がポリプロピレン製のものである点、フラットヤーンからなる緯糸５とモノフィラメントからなる緯糸６は、交互に配置されている点等も上記実施形態１と同様である。
【００４０】
本実施形態においても、包装用シート１の端部１ａ、１ａを線材のコイル状物７の端面７ｂ、７ｂから内周面７ｃ、７ｃ側に折り曲げたとき、その包装用シート１の折り曲げ方向は、２５００ｄｔｅＸというデシテックス（ｄｔｅＸ）数が非常に大きく強度のあるモノフィラメントからなる緯糸６が位置する方向と交差する方向であるので、強度のあるモノフィラメントからなる緯糸６が折れることで、包装用シート１の端部１ａ、１ａを鉄板のコイル状物７の内周面７ｃ側に折り易くなるのである。
【００４１】
（その他の実施形態）
尚、上記実施形態１、２では、経糸４及び緯糸５を構成するフラットヤーン、及び緯糸６を構成するモノフィラメントがすべてポリプロピレン製のものとされていたが、これら経糸４及び緯糸５を構成するフラットヤーン、及び緯糸６を構成するモノフィラメントの材質はこれに限定されるものではなく、たとえばポリエチレン製のものであってもよい。ただし、モノフィラメントからなる緯糸６に好適に腰を生じさせ、或いは各糸の強度を良好にする観点からは、ポリプロピレン製のものとすることが望ましい。
【００４２】
また、合成樹脂製フィルム３の材質も上記実施形態１、２のポリプロピレンに限定されるものではないが、織成地２からの合成樹脂製フィルム３の剥離を好適に防止する観点からは、織成地２と同材質のものとすることが望ましい。
【００４３】
さらに、上記実施形態１、２では、合成樹脂製フィルム３が織成地２の表裏両面に貼着される場合について説明したが、織成地２の表裏いずれか片面のみに合成樹脂製フィルム３が貼着されていてもよい。包装用シート１の強度を増大させる観点からは合成樹脂製フィルム３を織成地２の表裏両面に貼着することが望ましいが、必要に応じて包装用シート１のコストを削減する上では、織成地２の表裏いずれか片面のみに合成樹脂製フィルム３を貼着することが望ましい場合もある。尚、このような合成樹脂製フィルム３を包装用シート１に具備させることは、本考案に必須の条件ではない。
【符号の説明】
【００４４】
１  包装用シート
２  織成地
３  合成樹脂製フィルム
４  フラットヤーンからなる経糸
５  フラットヤーンからなる緯糸
６  モノフィラメントからなる緯糸
【図１】
0003165091.tif 000003
【図２】
0003165091.tif 000004
【図３】
0003165091.tif 000005
【図４】
0003165091.tif 000006
【図５】
0003165091.tif 000007
【図６】
0003165091.tif 000008
【図７】
0003165091.tif 000009
【図８】
0003165091.tif 000010
【図９】
0003165091.tif 000011
【図１０】
0003165091.tif 000012